(57)【要約】【課題】複数の映像出力源が出力する映像信号に対応する表示装置として、映像出力源ごとに対応する特定の映像信号フォーマットに関する情報をユーザが手軽に把握できるようにする。【解決手段】複数の映像出力源ごとに対応して、特定の映像信号フォーマットによる特定放送に関する特定放送関連情報を取得する特定放送関連情報取得部と、複数の映像出力源のうちから、入力対象の映像信号に応じた映像出力源を選択する操作が行われる入力選択画面において、特定放送関連情報取得部により取得された特定放送関連情報を映像出力源ごとに対応させて表示させる表示制御部とを備えて表示装置を構成する。【選択図】図６
2017069681.tif 000002
【特許請求の範囲】
【請求項１】
複数の映像出力源ごとに対応して、特定の映像信号フォーマットによる特定放送に関する特定放送関連情報を取得する特定放送関連情報取得部と、
前記複数の映像出力源のうちから、入力対象の映像信号に応じた映像出力源を選択する操作が行われる入力選択画面において、前記特定放送関連情報取得部により取得された特定放送関連情報を前記映像出力源ごとに対応させて表示させる表示制御部と
を備える表示装置。
【請求項２】
前記特定放送関連情報取得部は、前記映像出力源が前記特定放送の受信に対応しているか否かを示す対応状況情報を含む前記特定放送関連情報を取得し、
前記表示制御部は、前記対応状況情報に基づいて前記映像出力源ごとに、前記特定放送に対応しているか否かが示されるように表示する
請求項１に記載の表示装置。
【請求項３】
前記特定放送関連情報取得部は、前記特定放送に対応する映像出力源について、受信が可能な前記特定放送についての状況を示す受信可能状況情報を含む前記特定放送関連情報を取得し、
前記表示制御部は、前記映像出力源ごとに、特定放送受信可能状況情報の内容が示されるように表示する
請求項１または２に記載の表示装置。
【請求項４】
前記受信可能状況情報は、前記映像出力源が受信可能なチャンネルのうちで前記特定放送を行っているチャンネルの数を示し、
前記表示制御部は、前記受信可能状況情報により示されるチャンネルの数に基づいて、前記映像出力源ごとに所定の表示の態様が与えられるようにする
請求項３に記載の表示装置。
【請求項５】
前記受信可能状況情報は、前記映像出力源が受信可能なチャンネルのうちで前記特定放送を行っているチャンネルのチャンネル番号を示し、
前記表示制御部は、前記受信可能状況情報として示されるチャンネル番号を前記映像出力源に対応させて表示させる
請求項３または４に記載の表示装置。
【請求項６】
前記表示制御部は、前記受信可能状況情報として示されるチャンネル番号が複数である場合、前記複数のチャンネル番号のうちからいずれかを選択するチャンネル選択操作に応じてチャンネル番号の表示を変更させる
請求項５に記載の表示装置。
【請求項７】
現在において前記特定放送を行っているチャンネルを受信可能な映像出力源を選択する操作が前記入力選択画面に対して行われた場合、選択された映像出力源に前記特定放送を行っているチャンネルを選局させたうえで、前記選択された映像出力源の映像信号を入力する映像入力部をさらに備える
請求項１から６のいずれか一項に記載の表示装置。
【請求項８】
複数の映像出力源ごとに対応して、特定の映像信号フォーマットによる特定放送に関する特定放送関連情報を取得する特定放送関連情報取得ステップと、
前記複数の映像出力源のうちから、入力対象の映像信号に応じた映像出力源を選択する操作が行われる入力選択画面において、前記特定放送関連情報取得ステップにより取得された特定放送関連情報を前記映像出力源ごとに対応させて表示させる表示制御ステップと
を実行する表示制御方法。
【請求項９】
コンピュータに、
複数の映像出力源ごとに対応して、特定の映像信号フォーマットによる特定放送に関する特定放送関連情報を取得する特定放送関連情報取得ステップと、
前記複数の映像出力源のうちから、入力対象の映像信号に応じた映像出力源を選択する操作が行われる入力選択画面において、前記特定放送関連情報取得ステップにより取得された特定放送関連情報を前記映像出力源ごとに対応させて表示させる表示制御ステップと
を実行させるためのプログラム。
【発明の詳細な説明】
【技術分野】
【０００１】
本発明は、表示装置、表示制御方法及びプログラムに関する。
【背景技術】
【０００２】
入力切替先の選択項目の一覧が表示されるメニューにおいて、選択項目ごとに対応する入力端子に接続された外部機器の名称を表示するようにされた映像表示装置が知られている（例えば、特許文献１参照）。
【先行技術文献】
【特許文献】
【０００３】
【特許文献１】特開２００９−１３５８４６号公報
【発明の概要】
【発明が解決しようとする課題】
【０００４】
近年では、映像信号フォーマットについて高精細化が推し進められている状況にあり、複数の映像信号フォーマットが混在している状況にある。現状であれば、ＨＤＴＶ（ハイビジョン）が普及している状況のもとで、より高精細の映像信号フォーマットとしてＳＨＶ（スーパーハイビジョン）が実用化に向けて開発されている。
【０００５】
ＳＨＶによる放送が開始されたとしても、全ての放送波、放送局が一斉にＳＨＶによる放送を行うものではなく徐々に導入され、普及していく。このために、ＳＨＶにより放送が開始された場合には、ＳＨＶによる放送と、ＳＨＶより下位の映像信号フォーマットによる放送とが混在する状況となる。より具体的には、例えば或る放送波ではＳＨＶによる放送を行っているが、他の放送波ではＳＨＶによる放送は未だ行っていないといったことが起こる。あるいは、同じ放送波であっても、番組ごとによって、ＳＨＶによる放送を行ったり行わなかったりするといったことが起こる。
【０００６】
このような状況のもとで、１つの映像表示装置に複数の異なる放送波などに対応したセットトップボックスなどの外部機器を複数接続して映像表示システムを構成した場合、ユーザとしては、外部機器ごとのＳＨＶに関する対応状況を手軽に把握できるようにすることが好ましい。つまり、現在において、複数の外部機器のうちのいずれがＳＨＶの放送に対応するものであり、ＳＨＶの放送に対応する外部機器については、ＳＨＶによる番組が受信可能な状況であるかといったことをユーザが手軽に把握できるようにすることが好ましい。
【０００７】
本発明は、このような事情に鑑みてなされたもので、表示装置に接続された映像出力源ごとに対応する特定の映像信号フォーマットに関する情報をユーザが手軽に把握できるようにすることを目的とする。
【課題を解決するための手段】
【０００８】
上述した課題を解決するための本発明の一態様は、複数の映像出力源ごとに対応して、特定の映像信号フォーマットによる特定放送に関する特定放送関連情報を取得する特定放送関連情報取得部と、前記複数の映像出力源のうちから、入力対象の映像信号に応じた映像出力源を選択する操作が行われる入力選択画面において、前記特定放送関連情報取得部により取得された特定放送関連情報を前記映像出力源ごとに対応させて表示させる表示制御部とを備える表示装置である。
【０００９】
本発明の一態様は、複数の映像出力源ごとに対応して、特定の映像信号フォーマットによる特定放送に関する特定放送関連情報を取得する特定放送関連情報取得ステップと、前記複数の映像出力源のうちから、入力対象の映像信号に応じた映像出力源を選択する操作が行われる入力選択画面において、前記特定放送関連情報取得ステップにより取得された特定放送関連情報を前記映像出力源ごとに対応させて表示させる表示制御ステップとを実行する表示制御方法である。
【００１０】
本発明の一態様は、コンピュータに、複数の映像出力源ごとに対応して、特定の映像信号フォーマットによる特定放送に関する特定放送関連情報を取得する特定放送関連情報取得ステップと、前記複数の映像出力源のうちから、入力対象の映像信号に応じた映像出力源を選択する操作が行われる入力選択画面において、前記特定放送関連情報取得ステップにより取得された特定放送関連情報を前記映像出力源ごとに対応させて表示させる表示制御ステップとを実行させるためのプログラムである。
【発明の効果】
【００１１】
以上説明したように、本発明によれば、表示装置に接続された映像出力源ごとに対応する特定の映像信号フォーマットに関する情報をユーザが手軽に把握できるようになるという効果が得られる。
【図面の簡単な説明】
【００１２】
【図１】第１実施形態における表示システムの一例を示す図である。
【図２】第１実施形態における入力選択画面の一例を示す図である。
【図３】第１実施形態におけるテレビジョン受像機の構成例を示す図である。
【図４】第１実施形態におけるＳＨＶ放送関連情報の一例を示す図である。
【図５】第１実施形態のテレビジョン受像機が、ＳＨＶ放送関連情報におけるインターフェース情報とＳＨＶ放送対応フラグとを設定するための処理手順例を示すフローチャートである。
【図６】第１実施形態のテレビジョン受像機が入力選択画面の表示のために実行する処理手順例を示すフローチャートである。
【図７】第１実施形態のテレビジョン受像機が入力選択操作に応じて表示用の映像信号を切り替える処理手順例を示すフローチャートである。
【図８】第２実施形態における入力選択画面の構成例を示す図である。
【図９】第２実施形態のテレビジョン受像機が入力選択操作に応じて表示用の映像信号を切り替える処理手順例を示すフローチャートである。
【図１０】第２実施形態の変形例における選択ボタンの態様例を示す図である。
【発明を実施するための形態】
【００１３】
以下、本発明の一実施形態について図面を参照して説明する。
＜第１実施形態＞
図１は、本実施形態における表示システムの一例を示している。なお、本実施形態における表示システムの説明にあたっては、スーパーハイビジョン（ＳＨＶ）の映像信号フォーマットによる放送と、例えばＨＤＴＶ（ハイビジョン）などのＳＨＶよりも下位（低解像度）の映像信号フォーマットによる放送とが混在して行われている場合を例に挙げる。このように映像信号フォーマットが混在する状況では、或る放送波（例えば、地上波放送、ＢＳ（Broadcasting Satellite）放送、ＣＳ（Communications Satellite）放送などによる区分）ではＳＨＶによる放送を行うが、他の或る放送波ではＳＨＶによる放送を行わないという状況が生じる場合がある。また、同じ放送局であっても、ＳＨＶにより放送される番組とＳＨＶにより放送されない番組とが混在するという状況が生じる場合がある。
【００１４】
同図の表示システムは、テレビジョン受像機１００（表示装置の一例）と、テレビジョン受像機１００と接続される外部の映像出力源である４つのセットトップボックス２００−１、２００−２、２００−３、２００−４とを備える。なお、以降の説明にあたり、セットトップボックス２００−１、２００−２、２００−３、２００−４について特に区別しない場合には、セットトップボックス２００と記載する。
【００１５】
テレビジョン受像機１００は、特定の放送波に対応し、ＳＨＶより下位の所定の映像信号フォーマットとして、例えばＨＤＴＶ（ハイビジョン）に対応するチューナ部と、ＨＤＴＶに対応する画素数による表示デバイスとを備える。これにより、テレビジョン受像機は、ＨＤＴＶによる放送を受信し、受信により得られた映像信号を映像として画面に表示することができる。
ただし、テレビジョン受像機１００は、ＳＨＶによる放送を受信することはできない。つまり、テレビジョン受像機１００はＳＨＶ放送非対応である。ただし、テレビジョン受像機１００は、ＳＨＶによる映像信号を外部から入力した場合、ダウンコンバートによりＨＤＴＶによる解像度によって表示を行うことができる。
【００１６】
セットトップボックス２００−１、２００−２、２００−３、２００−４は、それぞれ、所定の放送波に対応するチューナ部を備え、チューナ部により受信して得られた映像信号をテレビジョン受像機１００に出力する。
【００１７】
本実施形態において、セットトップボックス２００−１、２００−２、２００−４が対応する放送波では、ＳＨＶによる放送を行っている。即ち、セットトップボックス２００−１、２００−２、２００−４は、ＳＨＶ放送対応である。
ただし、例えば同じ放送波であっても、ＳＨＶによる放送を行っている放送局とＳＨＶによる放送を行っていない放送局とが混在している場合がある。また、ＳＨＶによる放送を行っている放送局であっても、常にＳＨＶによる放送を行っているとは限らず、例えば番組によってはＳＨＶによる放送ではない場合がある。
【００１８】
一方、セットトップボックス２００−３が対応する放送波は、例えばＨＤＴＶまたはＨＤＴＶより下位の映像信号フォーマットによる放送は行っているが、ＳＨＶによる放送は行っていない。即ち、セットトップボックス２００−３は、ＳＨＶ放送非対応である。
【００１９】
テレビジョン受像機１００は、コネクタＣＮ１〜ＣＮ４により、セットトップボックス２００−１、２００−２、２００−３、２００−４のそれぞれと接続される。本実施形態において、テレビジョン受像機１００がコネクタＣＮ１〜ＣＮ４を介してセットトップボックス２００−１、２００−２、２００−３、２００−４と接続するインターフェースはＨＤＭＩ（High-Definition Multimedia Interface：登録商標）である。ＨＤＭＩは、Ｅｔｈｅｒｎｅｔ（登録商標）による通信が可能なインターフェースであり、接続された相互の機器間でのデータ通信と、映像信号の伝送とを行うことができる。なお、ＨＤＭＩは一例であり、例えばＵＳＢ（Universal Serial Bus）などであってもよい。
なお、以降の説明において、コネクタＣＮ１〜ＣＮ４について特に区別しない場合にはコネクタＣＮと記載する。
【００２０】
このように、テレビジョン受像機１００とセットトップボックス２００とがＨＤＭＩにより接続されることで、セットトップボックス２００のそれぞれは、放送を受信して得られた映像信号を、テレビジョン受像機１００に出力することができる。また、テレビジョン受像機１００が各セットトップボックス２００にコマンドを送信することにより、各セットトップボックス２００から各種情報を取得したり、各セットトップボックス２００の動作を制御したりすることができる。
例えば、ユーザは、テレビジョン受像機１００に対して、テレビジョン受像機１００の内部の映像出力源であるチューナ部と、外部の映像出力源（セットトップボックス２００）とのうちから、表示用の映像信号（入力対象の映像信号の一例）に対応する映像出力源を選択する（切り替える）操作（入力選択操作）を行うことができる。
なお、入力選択操作は、例えばテレビジョン受像機１００に対応するリモートコントローラに対する操作として行われるようにされればよい。なお、入力選択操作を含め、テレビジョン受像機１００に対する操作は、リモートコントローラに対する操作の他、例えばテレビジョン受像機１００が備えるキーなどに対する操作などであってもよい。以下では、リモートコントローラによる操作が行われる場合を例に説明する。
そして、テレビジョン受像機１００は、操作によって選択された映像出力源から出力される映像信号を入力し、その映像を表示部に表示させる。つまり、テレビジョン受像機１００は、表示のために入力する映像信号に応じた映像出力源の切り替えを行う。
【００２１】
本実施形態におけるテレビジョン受像機１００は、上記の映像出力源の切り替えにあたり、入力選択画面を表示する。入力選択画面は、入力対象の映像信号に応じた映像出力源を選択する操作が行われる画面である。ユーザが入力選択操作の１つとして、リモートコントローラに対して入力選択画面の表示を指示するための所定の操作を行うと、テレビジョン受像機１００は、表示部に入力選択画面を表示する。
【００２２】
図２は、テレビジョン受像機１００の表示部に表示される入力選択画面３００の一例を示している。
同図の入力選択画面３００においては、映像表示エリア３０１と入力選択操作エリア３０２とが配置されている。
映像表示エリア３０１は、現在においてテレビジョン受像機１００が選択している映像出力源の映像が表示される。例えば入力選択画面３００を表示させる直前まで表示部において或る映像出力源の映像が表示されていた場合、映像表示エリア３０１には、直前まで表示されていた映像が表示される。このように映像の表示が行われることで、ユーザは、入力選択操作を行いながら、入力選択画面３００を表示させる直前まで視聴していた映像を入力選択画面３００上で引き続き視聴することができる。
【００２３】
入力選択操作エリア３０２は、ユーザが映像出力源を選択する（切り替える）操作が行われるエリアである。入力選択操作エリア３０２においては、入力可能な映像信号の映像出力源ごとに応じた選択ボタンが配置される。
同図においては、５つの選択ボタン３２１−０〜３２１−４が上から下にかけて順に配列されている。
選択ボタン３２１−０には「ＴＶ」との文字が表示されている。この「ＴＶ」との文字は、テレビジョン受像機１００が備えるチューナ部を示す。つまり、選択ボタン３２１−０が対応する映像出力源は、テレビジョン受像機１００が備えるチューナ部である。
選択ボタン３２１−１には「ｉｎｐｕｔ＿１」との文字が表示されている。「ｉｎｐｕｔ＿１」は、コネクタＣＮ１に対応する映像ソースであることを示す。従って、この場合の選択ボタン３２１−１が対応する映像出力源は、コネクタＣＮ１を介して接続されたセットトップボックス２００−１である。
選択ボタン３２１−２には「ｉｎｐｕｔ＿２」との文字が表示されている。「ｉｎｐｕｔ＿２」は、コネクタＣＮ２に対応する映像ソースであることを示す。従って、この場合の選択ボタン３２１−２が対応する映像出力源は、コネクタＣＮ２に接続されたセットトップボックス２００−２である。
選択ボタン３２１−３には「ｉｎｐｕｔ＿３」との文字が表示されている。「ｉｎｐｕｔ＿３」は、コネクタＣＮ３に対応する映像ソースであることを示す。従って、この場合の選択ボタン３２１−３が対応する映像出力源は、コネクタＣＮ２に接続されたセットトップボックス２００−３である。
なお、選択ボタン３２１−０〜３２１−４について特に区別しない場合には、選択ボタン３２１と記載する。
なお、外部の映像出力源との接続に対応する選択ボタン３２１−１〜３２１−４のうち、外部の映像出力源が接続されていないコネクタＣＮに対応する選択ボタン３２１については、グレーアウトにより操作対象でないことを示すようにされる。あるいは、外部の映像出力源が接続されていないコネクタＣＮに対応する選択ボタン３２１については、非表示としてもよい。
【００２４】
ここで、入力選択操作エリア３０２に対する入力選択操作について説明する。入力選択操作として、前述のようにリモートコントローラにおける所定のキーに対する操作を行うことで、入力選択画面３００が表示される。入力選択画面３００が表示されると、入力選択操作エリア３０２においては、初期状態として、選択ボタン３２１のうちで、これまで表示部に表示されていた映像の映像出力源に対応する選択ボタン３２１が強調表示されている。同図においては、これまで表示部に表示されていた映像の映像出力源がセットトップボックス２００−１であることに応じて、セットトップボックス２００−１に対応する選択ボタン３２１−１が強調表示されている。本実施形態における選択ボタン３２１の強調表示は、同図に示されるように、他の選択ボタン３２１よりも拡大して表示するという態様によって行われる。なお、強調表示の態様としては特に限定されるものではなく、色、ボタン形状などを変更するようにされてもよい。
【００２５】
上記のように入力選択画面３００が表示された状態のもとで、ユーザは、選択ボタン３２１−０〜３２１−４のうちのいずれか１つを任意に選択することができる。このような選択ボタン３２１の選択操作は、例えばリモートコントローラにおける上下キーに対する操作などによって、選択対象となる選択ボタン３２１を上方向または下方向に順次変更していくようにして行われればよい。
そして、ユーザは、自分が視聴したい放送局を受信可能な映像出力源に対応する選択ボタン３２１を選択した状態で、決定操作（例えばリモートコントローラにおける決定キーに対する操作）を行う。
決定操作に応じて、テレビジョン受像機１００は、選択されていた選択ボタン３２１に対応する映像出力源から出力される映像信号の入力に切り替える。そして、テレビジョン受像機１００は、これまで表示されていた入力選択画面３００に代えて、切り替え後の映像信号を表示部に表示させる。このようにして、入力選択操作に応じて表示部に表示される映像の映像出力源の切り替えが行われる。
【００２６】
続いて、同じ図２を参照して、入力選択画面３００における映像出力源ごとに関連する情報提示の態様について説明する。
まず、外部の映像出力源に対応する選択ボタン３２１−１〜３２１−４においては、対応の映像出力源とテレビジョン受像機１００とを接続しているインターフェースが示される。前述のように、本実施形態においてセットトップボックス２００は、それぞれＨＤＭＩによりテレビジョン受像機１００と接続される。このため、選択ボタン３２１−１〜３２１−４においては、それぞれ、「ＨＤＭＩ」との文字が表示されることで、テレビジョン受像機１００とＨＤＭＩにより接続されていることが示される。
【００２７】
なお、例えば映像出力源とテレビジョン受像機１００とがＵＳＢにより接続されていれば、対応の選択ボタン３２１においては、「ＨＤＭＩ」に代えて、「ＵＳＢ」がインターフェースであることを示す表示が行われる。なお、インターフェースを示す表示は、同図では文字を使用した例を示しているが、例えばアイコンなどとしての絵柄により示すようにしてもよい。
なお、テレビジョン受像機１００のチューナ部は、内部インターフェースにて接続されていることから、ユーザが特に把握しておく必要はない。このため、テレビジョン受像機１００のチューナ部に対応する選択ボタン３２１−１については、インターフェースに関する表示は行わないようにされている。
【００２８】
また、入力選択操作エリア３０２においては、対応の映像出力源についてのＳＨＶに関連する情報（特定放送関連情報の一例）が表示される。
具体的には、ＳＨＶ放送対応の映像出力源に対応する選択ボタン３２１においては、ＳＨＶ放送対応指示枠ＦＬが配置される。即ち、ＳＨＶ放送対応指示枠ＦＬは、ＳＨＶ放送対応であることを示す。
本実施形態の場合、前述のように、セットトップボックス２００−１、２００−２、２００−３がＳＨＶ放送対応である。そこで、同図においては、セットトップボックス２００−１、２００−２、２００−３のそれぞれに対応する選択ボタン３２１−１、３２１−２、３２１−４において、それぞれ、ＳＨＶ放送対応指示枠ＦＬが配置されている。
一方、ＳＨＶ放送非対応のテレビジョン受像機１００のチューナ部と、セットトップボックス２００−３とは、ＳＨＶ非対応である。このため、選択ボタン３２１−０、３２１−３については、ＳＨＶ放送対応指示枠ＦＬは表示されていない。
【００２９】
そのうえで、ＳＨＶ放送対応の映像出力源に対応する選択ボタン３２１においては、映像出力源が受信可能なチャンネルのうちで、現在においてＳＨＶ放送を行っているチャンネル（ＳＨＶ放送中のチャンネル）が有るか否かが示される。具体的に、ＳＨＶ放送中のチャンネルが有る場合には、選択ボタン３２１においてＳＨＶアイコンが配置される。一方、ＳＨＶ放送中のチャンネルが無い場合には、ＳＨＶアイコンは配置されない。
同図では、ＳＨＶ放送対応の映像出力源に対応する選択ボタン３２１−１、３２１−２、３２１−４のうち、選択ボタン３２１−１、３２１−２においてそれぞれＳＨＶアイコン３２２−１、３２２−２が配置された状態が示されている。これにより、選択ボタン３２１−１、３２１−２に対応する映像出力源であるセットトップボックス２００−１、２００−２が受信可能なチャンネルのうちで、ＳＨＶ放送中のチャンネルの有ることが示される。なお、以降において、ＳＨＶアイコン３２２−１、３２２−２について特に区別しない場合、ＳＨＶアイコン３２２と記載する。
【００３０】
一方、選択ボタン３２１−４においては、ＳＨＶアイコン３２２が配置されていない。これにより、選択ボタン３２１−４に対応する映像出力源であるセットトップボックス２００−４が受信可能なチャンネルのうちでは、現在においてＳＨＶ放送中のチャンネルの無いことが示される。
このようにＳＨＶアイコン３２２が配置されることで、ユーザは、ＳＨＶ放送対応の映像出力源ごとに、現在においてＳＨＶ放送を行っているチャンネルが有るか否かを即座に把握できる。
【００３１】
また、選択ボタン３２１−１において配置されるＳＨＶアイコン３２２−１と、選択ボタン３２１−２において配置されるＳＨＶアイコン３２２−２とは色が異なっている。ＳＨＶアイコン３２２−１の色は、現在においてＳＨＶ放送を行っているチャンネルが２以上あり、ＳＨＶアイコン３２２−２の色は、現在においてＳＨＶ放送を行っているチャンネルが１つであることを示している。
このように選択ボタン３２１ごとにチャンネルの数に応じた色が与えられることで、ユーザはＳＨＶ放送対応の映像出力源ごとに、現在においてＳＨＶ放送を行っているチャンネルの数を大まかに（即ち、この場合は１つまたは２以上であるか否かについて）把握できる。特に、ＳＨＶ放送の運用の開始当初においては、ＳＨＶ放送の少ないことが予想される。この場合、ＳＨＶ放送中のチャンネルが２以上有るような放送波は、ユーザの関心が高いといえる。そこで、本実施形態のように、ＳＨＶ放送中のチャンネルが１つの場合と２以上の場合とで区別して示されるようにすれば、ＳＨＶ放送を視聴したいユーザがＳＨＶ放送が行われているチャンネルを探す際の有効な補助となる。
なお、選択ボタン３２１の色分けについては、ＳＨＶ放送を行っているチャンネルの数に応じてさらに細分化されてもよい。
【００３２】
また、ＳＨＶアイコン３２２が配置された選択ボタン３２１を選択した場合には、ＳＨＶアイコン３２２において、ＳＨＶ放送を行っているチャンネルの数が具体的に示されるようになっている。具体的に、同図においては、選択により強調表示されている選択ボタン３２１−１に配置されたＳＨＶアイコン３２２−１において「（３）」との文字が表示されている。これは、選択ボタン３２１−１に対応するセットトップボックス２００により受信可能なチャンネルのうちでＳＨＶ放送中のチャンネルが３つあることを示している。
このような表示が行われることで、ユーザは、ＳＨＶ放送対応の映像出力源により受信可能なＳＨＶ放送中のチャンネルの数を把握することができる。
【００３３】
ユーザは、本実施形態における入力選択画面３００の入力選択操作エリア３０２に表示される内容を見ることで、テレビジョン受像機１００により映像を表示が可能な映像出力源ごとに、ＳＨＶ放送に関連する情報を把握することができる。つまり、ユーザは、映像出力源ごとにＳＨＶ放送対応とＳＨＶ放送非対応とのいずれであるのかを把握できる。
また、ユーザは、ＳＨＶ放送対応の映像出力源ごとに、現在においてＳＨＶ放送中のチャンネルが有るか否かを把握できる。また、ユーザは、現在においてＳＨＶ放送中のチャンネルが有る映像出力源については、ＳＨＶ放送中のチャンネルの数が１つと２以上とのいずれなのかを把握できる。さらに、ユーザは、ＳＨＶ放送中のチャンネルの数が複数である場合には、その具体的な数を把握できる。
このように、本実施形態においては、テレビジョン受像機１００に接続された映像出力源ごとに対応する特定の映像信号フォーマットに関する情報を、ユーザが手軽に把握することができる。
【００３４】
以下、上記のような入力選択画面３００の表示に関連するテレビジョン受像機１００の構成について説明する。
図３は、本実施形態におけるテレビジョン受像機１００の構成例を示している。同図のテレビジョン受像機１００は、インターフェース部１０１、チューナ部１０２、制御部１０３、記憶部１０４、表示部１０５及び操作受付部１０６を備える。
なお、テレビジョン受像機１００は、映像信号に同期する音声信号についても出力可能に構成されてよいが、同図においては、音声信号に対応する構成については省略している。
【００３５】
インターフェース部１０１は、コネクタＣＮ１〜ＣＮ４を介して接続された外部の映像出力源（セットトップボックス２００−１〜２００−４）との通信と、外部の映像出力源から出力される映像信号の入力とを行う。本実施形態の場合、インターフェース部（Ｉ／Ｆ）１０１はコネクタＣＮ１〜ＣＮ４のそれぞれに応じた４つの映像信号入力ポートを備える。ここでの映像信号入力ポートは、物理的に設けられたポートであっても論理的なポートであってもよい。
【００３６】
チューナ部１０２は、所定の放送波に対応して放送を行っているチャンネルを選局し、選局されたチャンネルの映像信号を出力する。前述のように、本実施形態おけるチューナ部１０２は、ＳＨＶ放送非対応である。なお、チューナ部１０２についてもＳＨＶ放送対応の構成が採られてもよい。
【００３７】
制御部１０３は、テレビジョン受像機１００における各種の制御を行う。本実施形態における制御部１０３は、入力選択画面３００の表示と、入力選択画面３００に対して行われる入力選択操作に応じた映像信号の選択（切り替え）とに応じた機能部として、ＳＨＶ放送関連情報取得部１３１（特定放送関連情報取得部の一例）、表示制御部１３２及び映像入力部１３３を備える。
【００３８】
ＳＨＶ放送関連情報取得部１３１は、ＳＨＶ放送（特定の映像信号フォーマットによる特定放送の一例）に関するＳＨＶ放送関連情報（特定放送関連情報の一例）を複数の映像出力源ごとに取得する。本実施形態において、ＳＨＶ放送関連情報は、対応の映像出力源がＳＨＶ放送対応であるか否かを示すＳＨＶ放送対応フラグ（対応状況情報の一例）を含む。また、ＳＨＶ放送対応の映像出力源に対応するＳＨＶ放送関連情報は、ＳＨＶ放送についての受信可能状況を示すＳＨＶ放送チャンネル情報（受信可能状況情報の一例）を含む。ＳＨＶ放送チャンネル情報は、対応の映像出力源が受信可能なチャンネルのうちでＳＨＶ放送中のチャンネル数とチャンネル番号とを示す。
【００３９】
表示制御部１３２は、映像入力部１３３により入力された映像出力源の映像信号の映像が表示部１０５にて表示されるように表示制御を行う。映像入力部１３３により入力された映像出力源の映像信号の形式がＳＨＶである場合、表示制御部１３２は、ＳＨＶの形式の映像信号について、例えばＨＤＴＶの形式に変換（ダウンコンバート）したうえで、表示部１０５に表示させる。
【００４０】
また、本実施形態の表示制御部１３２は、入力選択画面３００において、ＳＨＶ放送関連情報取得部１３１により取得されたＳＨＶ放送関連情報を映像出力源ごとに対応させて表示させる。
つまり、表示制御部１３２は、前述のように、入力選択画面３００の入力選択操作エリア３０２に配置される選択ボタン３２１のうちで、ＳＨＶ放送対応の映像出力源に対応する選択ボタン３２１にはＳＨＶ放送対応指示枠ＦＬを表示する。また、表示制御部１３２は、ＳＨＶ放送中のチャンネルが有る映像出力源に対応する選択ボタン３２１にはＳＨＶアイコン３２２が配置されるように表示する。さらに、表示制御部１３２は、ＳＨＶアイコン３２２が配置された選択ボタン３２１が選択されている状態においては、ＳＨＶアイコン３２２にて現在ＳＨＶ放送中のチャンネルの数が示されるようにする。
【００４１】
映像入力部１３３は、入力選択画面３００に対する入力選択操作により選択された映像出力源の映像信号を入力する。映像入力部１３３により入力された映像信号は、表示制御部１３２の制御によって表示部１０５にて映像として表示される。
また、本実施形態における映像入力部１３３は、ＳＨＶ放送中のチャンネルを受信可能な映像出力源を選択する操作が入力選択画面３００に対して行われた場合、選択された映像出力源にＳＨＶ放送を行っているチャンネルを選局させたうえで、選択された映像出力源の映像信号を選択する。
【００４２】
記憶部１０４は、制御部１０３が利用する各種の情報を記憶する。本実施形態の記憶部１０４は、入力選択画面３００の表示に関連して、ＳＨＶ放送関連情報記憶部１４１を備える。ＳＨＶ放送関連情報記憶部１４１は、ＳＨＶ放送関連情報を記憶する。ＳＨＶ放送関連情報は、映像出力源ごとについてのＳＨＶ放送に関連する情報である。
【００４３】
図４は、ＳＨＶ放送関連情報の一例を示している。同図のＳＨＶ放送関連情報は、テレビジョン受像機１００が映像信号を入力可能な映像出力源ごとに、インターフェース情報と、ＳＨＶ放送対応フラグと、ＳＨＶ放送チャンネル情報とを対応付けた構造である。
同図において、「ｉｎｐｕｔ＿０（ＴＶ）」はテレビジョン受像機１００のチューナ部１０２が対応する。「ｉｎｐｕｔ＿１」、「ｉｎｐｕｔ＿２」、「ｉｎｐｕｔ＿３」、「ｉｎｐｕｔ＿４」は、それぞれ、コネクタＣＮ１〜ＣＮ４を介して接続された外部の映像出力源が対応する。
【００４４】
インターフェース情報は、外部の映像出力源との接続に用いられているインターフェースが何であるのかを示す情報である。同図においては、「ｉｎｐｕｔ＿１」、「ｉｎｐｕｔ＿２」、「ｉｎｐｕｔ＿３」、「ｉｎｐｕｔ＿４」のそれぞれに対応するインターフェース情報として、インターフェースが「ＨＤＭＩ」であることを示す情報が格納された例が示されている。
また、「ｉｎｐｕｔ＿０（ＴＶ）」は、外部の映像出力源との接続ではなく、テレビジョン受像機１００のチューナ部１０２との接続になる。そこで、「ｉｎｐｕｔ＿０（ＴＶ）」に対応のインターフェース情報には、ｎｕｌｌ値、即ち無効な情報を格納した例が示されている。
【００４５】
ＳＨＶ放送対応フラグは、対応付けされた映像出力源がＳＨＶ放送に対応しているか否かを示すフラグである。同図においては、「１」のＳＨＶ放送対応フラグによりＳＨＶ放送対応であることを示し、「０」のＳＨＶ放送対応フラグによりＳＨＶ放送非対応であることを示す。
【００４６】
ＳＨＶ放送チャンネル情報は、対応付けされた映像出力源がＳＨＶ放送対応である場合に有効な情報であり、現在においてＳＨＶ放送中のチャンネルに関する情報である。具体的に、ＳＨＶ放送チャンネル情報は、現在においてＳＨＶ放送中のチャンネルごとのチャンネル番号を格納する。
具体的に、同図の場合には、「ｉｎｐｕｔ＿１」に対応するＳＨＶ放送チャンネル情報においては、「ＣＨ１０３」、「ＣＨ１１０」、「ＣＨ１２０」の３つのチャンネルが示されている。このようなＳＨＶ放送チャンネル情報は、「ｉｎｐｕｔ＿１」に対応する映像出力源であるセットトップボックス２００−１が受信可能なチャンネルのうち、「ＣＨ１０３」、「ＣＨ１１０」、「ＣＨ１２０」の各チャンネル番号による３つのチャンネルがＳＨＶ放送中であることを示している。このようなＳＨＶ放送チャンネル情報によっては、ＳＨＶ放送中のチャンネルの数と、チャンネル番号とが示される。
また、同図の「ｉｎｐｕｔ＿２」に対応付けられたＳＨＶ放送チャンネル情報においては、チャンネル番号が「ＣＨ２０５」の１つのチャンネルが示されている。このようなＳＨＶ放送チャンネル情報は、「ｉｎｐｕｔ＿２」に対応する映像出力源であるセットトップボックス２００−２が受信可能なチャンネルのうち、「ＣＨ２０５」のチャンネル番号による１つのチャンネルにてＳＨＶ放送中であることを示している。
【００４７】
また、同図の「ｉｎｐｕｔ＿４」に対応付けられたＳＨＶ放送チャンネル情報においては、ＳＨＶ放送対応フラグが「１」とされてＳＨＶ放送対応であるのにかかわらずｎｕｌｌ値とされて有効な情報が格納されていない。これは、「ｉｎｐｕｔ＿４」に対応する映像出力源であるセットトップボックス２００−４が受信可能なチャンネルのうちで、ＳＨＶ放送中のチャンネルが無いことを示している。この後において、例えばセットトップボックス２００−４が受信可能なチャンネルのうちで或るチャンネルによりＳＨＶ放送が行われる状態となった場合には、この際のＳＨＶ放送が行われているチャンネル番号が反映されるようにＳＨＶ放送チャンネル情報が更新される。
【００４８】
また、「ｉｎｐｕｔ＿０（ＴＶ）」が対応するテレビジョン受像機１００のチューナ部１０２と、「ｉｎｐｕｔ＿３」に対応して接続されているセットトップボックス２００−３とは、ＳＨＶ非対応である。このために、「ｉｎｐｕｔ＿０（ＴＶ）」と「ｉｎｐｕｔ＿３」とのそれぞれに対応付けられたＳＨＶ放送チャンネル情報についてはｎｕｌｌ値とされている。
【００４９】
説明を図３に戻す。表示部１０５は、制御部１０３における表示制御部１３２の制御に応じて画像を表示する。
操作受付部１０６は、テレビジョン受像機１００に対して行われた操作を受け付ける。操作受付部１０６は、例えばリモートコントローラに対する操作に応じてリモートコントローラから送信されたコマンドコードを受信し、受信されたコマンドコードに応じた操作信号を制御部１０３に出力する。制御部１０３は、入力された操作信号に応じた制御を行う。
【００５０】
図５のフローチャートを参照して、テレビジョン受像機１００が、ＳＨＶ放送関連情報におけるインターフェース情報とＳＨＶ放送対応フラグとを設定するための処理手順例について説明する。同図の処理は、テレビジョン受像機１００が、１つの映像出力源に対応して、テレビジョン受像機１００と接続するインターフェースを認識し、ＳＨＶ放送対応とＳＨＶ放送非対応のいずれであるのかを認識する処理となる。
【００５１】
同図の処理は、テレビジョン受像機１００が起動したことに応じて、内部の映像出力源であるチューナ部１０２、あるいはコネクタＣＮを介して接続されている外部の映像出力源（セットトップボックス２００）が認識されることに応じて実行される。
また、同図の処理は、テレビジョン受像機１００の動作中においてこれまで接続が行われていなかったコネクタＣＮに外部の映像出力源が接続されたことに応じても実行される。
【００５２】
同図において、ＳＨＶ放送関連情報取得部１３１は、ｉｎｐｕｔ＿０〜ｉｎｐｕｔ＿４のうち、いずれか１つの映像信号入力ポートｉｎｐｕｔ＿ｉにて映像出力源の接続が認識されるのを待機している（ステップＳ１０１−ＮＯ）。ここでの変数ｉは、接続が認識された映像出力源に対応する映像信号入力ポートの番号を示す。
そして、或る１つの映像信号入力ポートｉｎｐｕｔ＿ｉにて映像出力源の接続が認識されると（ステップＳ１０１−ＹＥＳ）、ＳＨＶ放送関連情報取得部１３１は、以下の処理を実行する。
つまり、ＳＨＶ放送関連情報取得部１３１は、映像信号入力ポートｉｎｐｕｔ＿ｉと映像出力源とを接続するインターフェースの方式を認識する（ステップＳ１０２）。そして、ＳＨＶ放送関連情報取得部１３１は、ステップＳ１０２により認識したインターフェースの方式を示すインターフェース情報を映像信号入力ポートｉｎｐｕｔ＿ｉに対応付けてＳＨＶ放送関連情報記憶部１４１のＳＨＶ放送関連情報に格納する（ステップＳ１０３）。
なお、映像信号入力ポートｉｎｐｕｔ＿０（ｉ＝０）の場合、ステップＳ１０２によっては、内部のインターフェースであることが認識される。この場合、ＳＨＶ放送関連情報取得部１３１は、ステップＳ１０３において図４に示したようにｎｕｌｌ値を格納する。
【００５３】
また、ＳＨＶ放送関連情報取得部１３１は、接続が確認された映像出力源に対してＳＨＶ放送対応問合せ要求を送信する（ステップＳ１０４）。ＳＨＶ放送対応問合せ要求は、映像出力源に対して、ＳＨＶ放送対応とＳＨＶ放送非対応とのいずれであるのかを問合せる要求コマンドである。
【００５４】
ＳＨＶ放送関連情報取得部１３１は、ステップＳ１０２により送信したＳＨＶ放送対応問合せ要求に対する応答が映像出力源から受信されたか否かについて判定する（ステップＳ１０５）。
ＳＨＶ放送非対応の映像出力源のなかには、ＳＨＶ放送対応問合せ要求に対応していないものがある。従って、ＳＨＶ放送対応問合せ要求に対する応答が受信されなかった場合（ステップＳ１０５−ＮＯ）、ＳＨＶ放送対応問合せ要求の送信先の映像出力源は、ＳＨＶ放送対応問合せ要求に対応していないということになる。そこで、この場合のＳＨＶ放送関連情報取得部１３１は、ＳＨＶ放送関連情報記憶部１４１が記憶するＳＨＶ放送関連情報において、今回のｉｎｐｕｔ＿ｉに対応付けられたＳＨＶ放送対応フラグを「０」に設定する（ステップＳ１０６）。
【００５５】
これに対して、ＳＨＶ放送対応問合せ要求に対する応答が受信された場合（ステップＳ１０５−ＹＥＳ）、ＳＨＶ放送関連情報取得部１３１は、受信された応答において、ＳＨＶ放送対応であることが示されているか否かについて判定する（ステップＳ１０７）。
ＳＨＶ放送対応であることが示されている場合（ステップＳ１０７−ＹＥＳ）、ＳＨＶ放送関連情報取得部１３１は、ＳＨＶ放送関連情報記憶部１４１が記憶するＳＨＶ放送関連情報において、今回のｉｎｐｕｔ＿ｉに対応付けられたＳＨＶ放送対応フラグを「１」に設定する（ステップＳ１０８）。また、ＳＨＶ放送非対応であることが示されている場合（ステップＳ１０７−ＮＯ）には、ＳＨＶ放送関連情報取得部１３１は、今回のｉｎｐｕｔ＿ｉに対応付けられたＳＨＶ放送対応フラグを「１」に設定する（ステップＳ１０６）。
このような処理によって、映像出力源ごとにＳＨＶ放送対応とＳＨＶ放送非対応のいずれであるのかがテレビジョン受像機１００にて認識される。
【００５６】
続いて、図６のフローチャートを参照して、テレビジョン受像機１００が入力選択画面３００（図２）の表示のために実行する処理手順例について説明する。
まず、表示制御部１３２は、入力選択画面３００の表示を指示する操作が行われるのを待機している（ステップＳ２０１−ＮＯ）。そして、入力選択画面３００の表示を指示する操作が行われると（ステップＳ２０１−ＹＥＳ）、表示制御部１３２は、映像信号入力ポートの番号を示す変数ｎについて初期値として「０」を代入する。
【００５７】
次に、表示制御部１３２は、映像信号入力ポートｉｎｐｕｔ＿ｎに映像出力源が接続されているか否かについて判定する（ステップＳ２０３）。一例として、映像出力源が接続されているか否かは、ＳＨＶ放送関連情報のＳＨＶ放送対応フラグに「０」または「１」としての有効な値が格納されているか否かにより判定できる。
映像信号入力ポートｉｎｐｕｔ＿ｎに映像出力源が接続されていないことが判定された場合（ステップＳ２０３−ＮＯ）、表示制御部１３２は、映像信号入力ポートｉｎｐｕｔ＿ｎに対応させて、未接続であることを示すグレーアウトの選択ボタン３２１を描画する（ステップＳ２０４）。
一方、映像信号入力ポートｉｎｐｕｔ＿ｎに映像出力源が接続されていることが判定された場合（ステップＳ２０３−ＹＥＳ）、表示制御部１３２は、ＳＨＶ放送関連情報記憶部１４１から、映像信号入力ポートｉｎｐｕｔ＿ｎに対応付けられたＳＨＶ放送関連情報を取得する（ステップＳ２０５）。
表示制御部１３２は、ステップＳ２０５により取得したＳＨＶ放送関連情報に含まれるＳＨＶ放送対応フラグの値を参照することで、映像信号入力ポートｉｎｐｕｔ＿ｎに対応付けられた映像出力源がＳＨＶ放送対応であるか否かについて判定する（ステップＳ２０６）。
【００５８】
ＳＨＶ放送非対応であることが判定された場合（ステップＳ２０６−ＮＯ）、表示制御部１３２は、映像信号入力ポートｉｎｐｕｔ＿ｎに対応させて、図２の選択ボタン３２１−０または選択ボタン３２１−３のように、ＳＨＶ放送対応指示枠ＦＬの無い選択ボタン３２１を描画する（ステップＳ２０７）。
この際、ＳＨＶ放送関連情報において映像信号入力ポートｉｎｐｕｔ＿ｎに対応付けられたインターフェース情報によりインターフェースが示されていれば、表示制御部１３２は、選択ボタン３２１にインターフェースが示されるように描画を行う。この点については、後述のステップＳ２０９〜２１１においても同様である。
【００５９】
一方、ＳＨＶ放送対応であることが判定された場合（ステップＳ２０６−ＹＥＳ）、表示制御部１３２は、さらに映像信号入力ポートｉｎｐｕｔ＿ｎと接続された映像出力源が受信可能なチャンネルのうちでＳＨＶ放送中のチャンネル数について判定する（ステップＳ２０８）。ステップＳ２０８の判定は、ステップＳ２０５により取得されたＳＨＶ放送関連情報に含まれるＳＨＶ放送チャンネル情報に格納されているチャンネル番号の数を判定することにより行える。
【００６０】
ＳＨＶ放送中のチャンネル数が「０」であることが判定された場合（ステップＳ２０８−「０」）、表示制御部１３２は、映像信号入力ポートｉｎｐｕｔ＿ｎに対応して、図２の選択ボタン３２１−４のように、ＳＨＶ放送対応指示枠ＦＬを配置し、ＳＨＶアイコン３２２を配置しない選択ボタン３２１を描画する（ステップＳ２０９）。
【００６１】
また、ＳＨＶ放送中のチャンネル数が「１」であることが判定された場合（ステップＳ２０８−「１」）、表示制御部１３２は、映像信号入力ポートｉｎｐｕｔ＿ｎに対応して、図２の選択ボタン３２１−２のように、ＳＨＶ放送対応指示枠ＦＬを配置され、ＳＨＶ放送中のチャンネルが１つであることを示す色のＳＨＶアイコン３２２を配置した選択ボタン３２１を描画する（ステップＳ２１０）。
【００６２】
また、ＳＨＶ放送中のチャンネル数が「２以上」であることが判定された場合（ステップＳ２０８−「２以上」）、表示制御部１３２は、映像信号入力ポートｉｎｐｕｔ＿ｎに対応して、図２の選択ボタン３２１−１のように、ＳＨＶ放送対応指示枠ＦＬを配置し、ＳＨＶ放送中のチャンネルが２以上であることを示す色のＳＨＶアイコン３２２を配置した選択ボタン３２１を描画する（ステップＳ２１１）。
【００６３】
ステップＳ２０４、Ｓ２０７、Ｓ２０９〜Ｓ２１１のいずれかにより選択ボタン３２１を描画すると、表示制御部１３２は、変数ｎについてインクリメントしたうえで（ステップＳ２１２）、変数ｎが最大値より大きいか否かについて判定する（ステップＳ２１３）。本実施形態の場合、変数ｎの最大値は、ｉｎｐｕｔ＿４に対応する「４」である。
変数ｎが最大値以下であることが判定された場合（ステップＳ２１３−ＮＯ）、表示制御部１３２は、ステップＳ２０３に処理を戻す。これにより、次の番号の映像信号入力ポートに応じた選択ボタン３２１の描画が行われる。
そして、全ての映像信号入力ポートに応じた選択ボタン３２１の描画が完了して変数ｎが最大値以上となったことが判定されると（ステップＳ２１３−ＹＥＳ）、表示制御部１３２は、これまでの処理によって描画された各映像信号入力ポートに応じた選択ボタン３２１を入力選択操作エリア３０２に配置し、映像表示エリア３０１に映像を描画した入力選択画面３００を表示部１０５に表示させる（ステップＳ２１４）。
【００６４】
上記のように表示された入力選択画面３００に対しては、入力選択操作として選択ボタン３２１を選択する操作が行われる。そして、選択された選択ボタン３２１に対応する映像出力源にて受信可能なＳＨＶ放送中のチャンネルが複数である場合、図２の選択ボタン３２１−１におけるＳＨＶアイコン３２２−１のように、受信可能なＳＨＶ放送中のチャンネルの数が示される。フローチャートによる処理手順例についての図示は省略するが、表示制御部１３２は、ＳＨＶアイコン３２２において、ＳＨＶ放送中のチャンネルの数が示されるように表示する制御も行う。
【００６５】
続いて、図７のフローチャートを参照して、テレビジョン受像機１００が入力選択操作に応じて表示用の映像信号を切り替える処理手順例について説明する。同図により説明する本実施形態のテレビジョン受像機１００では、入力選択操作により選択された映像出力源がＳＨＶ放送対応である場合において、以下のように制御を行うことができる。
つまり、本実施形態のテレビジョン受像機１００は、映像出力源にて現在選局されているチャンネルはＳＨＶ放送中ではないが、他にＳＨＶ放送中のチャンネルが有る場合、ＳＨＶ放送中のチャンネルに切り替えを行ったうえで、映像信号の切り替えを行う。
このような制御が行われることによって、ＳＨＶ放送中のチャンネルが有る映像出力源を選択した場合には、ユーザがチャンネル切り替えの操作を行わなくともＳＨＶ放送中のチャンネルの映像の表示が行われる。これにより、ユーザがＳＨＶ放送を視聴できる機会を多くすることができる。
一方、入力選択操作により選択された映像出力源がＳＨＶ放送であっても、ＳＨＶ放送中のチャンネルが無い場合には、映像出力源に対してチャンネル切り替えの制御は行われず、映像出力源において最後に選局されていたチャンネルの映像信号に切り替えが行われる。入力選択操作により選択された映像出力源がＳＨＶ放送非対応である場合も同様である。
【００６６】
映像入力部１３３は、入力選択画面３００が表示されている状態において、入力選択操作が行われるのを待機している（ステップＳ３０１−ＮＯ）。ここでの入力選択操作は、図２にて説明したように、１つの選択ボタン３２１を選択したうえで決定操作を行うというものである。
【００６７】
入力選択操作が行われると（ステップＳ３０１−ＹＥＳ）、表示制御部１３２は、画面ミュートを行う（ステップＳ３０２）。画面ミュートは、表示部１０５において画面全体を例えば黒レベル、ブルーバックなどで表示するというように、入力されている映像信号の映像が見えないようにする表示である。入力選択操作が行われると表示のための映像信号の入力の切り替えが行われることになるが、切り替えの過程において画像の乱れが生じる。そこで、画面ミュートを行うことで乱れた画像をユーザに見せないようにすることができる。
【００６８】
次に、映像入力部１３３は、入力選択操作により選択された選択ボタン３２１に対応する映像信号入力ポートに対応付けられたＳＨＶ放送関連情報をＳＨＶ放送関連情報記憶部１４１から取得する（ステップＳ３０３）。
映像入力部１３３は、取得されたＳＨＶ放送関連情報に含まれるＳＨＶ放送対応フラグを参照することで、選択された選択ボタン３２１に対応する映像出力源（選択対象の映像出力源）がＳＨＶ放送対応であるか否かについて判定する（ステップＳ３０４）。
【００６９】
ＳＨＶ放送対応である場合（ステップＳ３０４−ＹＥＳ）、映像入力部１３３は、ステップＳ３０３により取得されたＳＨＶ放送関連情報に含まれるＳＨＶ放送チャンネル情報を参照し、ＳＨＶ放送中のチャンネルの数を認識する。そのうえで、認識したＳＨＶ放送中のチャンネルの数が「０」、「１」、「２以上」のいずれであるのかについて判定する（ステップＳ３０５）。
【００７０】
認識したＳＨＶ放送中のチャンネルの数が「１」であった場合（ステップＳ３０５−「１」）、映像入力部１３３は、選択対象の映像出力源にて現在選局されているチャンネル（現チャンネル）がＳＨＶ放送中であるか否かについて判定する（ステップＳ３０６）。現チャンネルがＳＨＶ放送中であるか否かについては、ステップＳ３０３にて取得したＳＨＶ放送関連情報に含まれるＳＨＶ放送チャンネル情報が示すチャンネル番号のなかに、現チャンネルと同じチャンネル番号が含まれているか否かにより判定できる。
現チャンネルがＳＨＶ放送中でなかった場合（ステップＳ３０６−ＮＯ）、映像入力部１３３は、選択対象の映像出力源についてＳＨＶ放送中のチャンネルに切り替える（ステップＳ３０７）。そのうえで、映像入力部１３３は、選択対象の映像出力源の映像信号への入力の切り替え、即ち、入力対象とする映像信号入力ポートの切り替えを行う（ステップＳ３１１）。この際、映像入力部１３３は、インターフェース部１０１の映像入力ポートのうちで、入力選択操作により選択された映像出力源が対応する映像入力ポートへの接続に切り替える。表示制御部１３２は、このように接続された映像入力ポートから入力される映像信号を表示部１０５に映像として表示させることができる。
【００７１】
また、認識したＳＨＶ放送中のチャンネルの数が「２以上」であった場合（ステップＳ３０５−「２以上」）、映像入力部１３３は、選択対象の映像出力源にて現在選局されているチャンネル（現チャンネル）がＳＨＶ放送中であるか否かについて判定する（ステップＳ３０８）。現チャンネルがＳＨＶ放送中でなかった場合（ステップＳ３０８−ＮＯ）、映像入力部１３３は、複数のＳＨＶ放送中のチャンネルのうちから、１つのチャンネルを切替先として選択する（ステップＳ３０９）。
ステップＳ３０９として、映像入力部１３３は、複数のＳＨＶ放送中のチャンネルのうちで、例えば現チャンネルに最も近いチャンネル番号のチャンネルを選択することができる。あるいは、映像入力部１３３は、複数のＳＨＶ放送中のチャンネルのうちで、最もチャンネル番号が小さい、あるいは大きいチャンネルを選択することができる。あるいは、映像入力部１３３は、記憶部１０４に視聴履歴を記憶させておいたうえで、視聴履歴に基づいてユーザが最も視聴している回数の多いチャンネルを選択することができる。
そして、映像入力部１３３は、ステップＳ３０９により選択したチャンネルへの切り替えを行ったうえで（ステップＳ３１０）、映像信号の切り替えを行う（ステップＳ３１１）。
このようにして、本実施形態においては、選択対象の映像出力源についてＳＨＶ放送中のチャンネルが選局されていない場合には、ＳＨＶ放送中のチャンネルへの切り替えを行ったうえで映像信号の切り替えが行われるようにされている。
【００７２】
これに対して、ＳＨＶ放送非対応である場合（ステップＳ３０４−ＮＯ）、あるいはＳＨＶ放送中のチャンネルの数が「０」であった場合（ステップＳ３０５−「０」）、映像入力部１３３は、ステップＳ３０５〜Ｓ３１０をスキップし、入力選択操作により選択された映像出力源が対応する映像信号への切り替えを行う（ステップＳ３１１）。
また、現チャンネルがＳＨＶ放送中であった場合には（ステップＳ３０６−ＹＥＳ）、チャンネルを切り替える必要がない。そこでこの場合にも、ステップＳ３０５〜Ｓ３１０をスキップし、入力選択操作により選択された映像出力源が対応する映像信号への切り替えを行う（ステップＳ３１１）。
【００７３】
ステップＳ３１１による映像信号の切り替えの後、表示制御部１３２は、ステップＳ３０２にて開始させた画面ミュートの状態を解除し（ステップＳ３１２）、通常の表示に戻す。これにより、表示部１０５は、画面ミュートの状態から、ステップＳ３１１により切り替えられた映像信号の映像が表示される状態に切り替わる。
【００７４】
なお、図２での説明では、ＳＨＶ放送中のチャンネルが有る映像出力源に対応の選択ボタン３２１が選択された状態となると、ＳＨＶアイコン３２２においてＳＨＶ放送中のチャンネルの数が示されるようになっていた。しかし、本実施形態の変形例として、選択ボタン３２１が選択されているか否かにかかわらず、ＳＨＶアイコン３２２においてＳＨＶ放送中のチャンネルの数が示されてもよい。
【００７５】
＜第２実施形態＞
続いて、第２実施形態について説明する。図８は、本実施形態における入力選択画面３００を示している。同図の入力選択画面３００は、図２の場合と同様に、図４のＳＨＶ放送関連情報の内容が反映されている。なお、同図において図２と同一部分については同一符号を付して説明を省略する。
同図においては、図２と同様に、映像信号入力ポートｉｎｐｕｔ＿１に対応する選択ボタン３２１−１が入力選択操作によって選択されている状態にある。本実施形態では、このように選択された選択ボタン３２１−１において、図２のチャンネル数の表示に代えて、チャンネル選択ボックス３２３が配置される。
チャンネル選択ボックス３２３は、ＳＨＶ放送中のチャンネルのうちから１つを選択する操作が行われる領域である。図４のＳＨＶ放送関連情報によると、映像信号入力ポートｉｎｐｕｔ＿１に対応する映像出力源に対応しては、「ＣＨ１０３」、「ＣＨ１１０」、「ＣＨ１２０」の３つのＳＨＶ放送中のチャンネルが有る。従って、図８のチャンネル選択ボックス３２３は、「ＣＨ１０３」、「ＣＨ１１０」、「ＣＨ１２０」の３つのチャンネルから選択を行うことができる。例えば、ユーザは、リモートコントローラに対する所定操作（例えば、左キー、右キーなどに対する操作）によって、チャンネル選択ボックス３２３に表示されるチャンネル番号を変更していくようにしてチャンネルを選択することができる。あるいは、チャンネル選択ボックス３２３としては、プルダウンメニューにより提示される複数のチャンネル番号のうちから任意のチャンネル番号を選択できるような態様としてもよい。
【００７６】
そして、上記のようにチャンネルを選択した後、ユーザが決定操作を行うと、テレビジョン受像機１００は、選択ボタン３２１−１に対応する映像出力源について、チャンネル選択ボックス３２３にて選択されていたチャンネルに切り替える。そのうえで、選択ボタン３２１−１に対応する映像出力源の映像信号が映像として表示されるように切り替えを行う。
このようにして、本実施形態では、入力選択画面が表示されている段階において、選択対象の映像出力源が受信可能なＳＨＶ放送中のチャンネルのうちから、ユーザが予め所望のチャンネルを選択しておくことができる。これにより、ユーザは、ＳＨＶ放送中のチャンネルのチャンネル番号を把握しつつ、所望のチャンネルを手軽に選択することが可能になる。
【００７７】
なお、図示は省略するが、映像信号入力ポートｉｎｐｕｔ＿２に対応する選択ボタン３２１−２のように、ＳＨＶ放送中のチャンネルが１つである場合にも、入力選択操作によって選択された場合には、拡大表示とともにチャンネル選択ボックス３２３が配置される。この場合、チャンネル選択ボックス３２３により提示されるチャンネルは１つであるため、チャンネルの選択はできない。しかし、この場合において決定操作が行われると、１つのＳＨＶ放送中のチャンネルへの切り替えが行われたうえで、映像信号の切り替えが行われる。
【００７８】
図９のフローチャートを参照して、本実施形態のテレビジョン受像機１００が入力選択操作に応じて表示用の映像信号を切り替えるための処理手順例について説明する。
同図において、ステップＳ４０１〜Ｓ４０４の処理は、図７におけるステップＳ３０１〜Ｓ３０４と同様となる。
【００７９】
ステップＳ４０４において、ＳＨＶ放送対応であることが判定された場合（ステップＳ４０４−ＹＥＳ）、映像入力部１３３は、選択対象の映像出力源が受信可能なＳＨＶ放送中のチャンネルの数が「０」と、「１以上」のいずれであるのかについて判定する（ステップＳ４０５）。
【００８０】
ＳＨＶ放送中のチャンネルの数が「１以上」である場合（ステップＳ４０５−「１以上」）、選択されていた選択ボタン３２１のＳＨＶアイコン３２２においてはチャンネル選択ボックス３２３が配置されており、決定操作に際しては、選択されたチャンネルのチャンネル番号がチャンネル選択ボックス３２３にて表示されている。
そこで、この場合の映像入力部１３３は、選択対象の映像出力源について、チャンネル選択ボックス３２３にて選択されていたチャンネルの選局に切り替えたうえで（ステップＳ４０６）、映像信号の切り替えを行う（ステップＳ４０７）。
【００８１】
一方、ＳＨＶ放送非対応である場合（ステップＳ４０４−ＮＯ）、あるいは、ＳＨＶ放送対応ではあるが（ステップＳ４０４−ＹＥＳ）、ＳＨＶ放送中のチャンネルが「０」である場合（ステップＳ４０５−「０」）、ＳＨＶ放送を受信することができない。そこで、この場合の映像入力部１３３は、ステップＳ４０６をスキップしてステップＳ４０７により映像信号の切り替えを行う。この場合には、選択対象の映像出力源においてこれまで選局されていたチャンネルの映像信号への切り替えが行われる。
【００８２】
ステップＳ４０７による映像信号の切り替えの後、表示制御部１３２は、ステップＳ４０２にて開始させた画面ミュートの状態を解除し（ステップＳ４０８）、通常の表示に戻す。これにより、表示部１０５は、画面ミュートの状態から、ステップＳ４０７により切り替えられた映像信号の映像が表示される状態に切り替わる。
【００８３】
続いて、第２実施形態の変形例について、図１０を参照して説明する。同図は、図８に示されているＳＨＶアイコン３２２−１についての本変形例における態様例を示している。
同図に示されるように、本変形例においては、図８の場合と同様に、映像信号入力ポートｉｎｐｕｔ＿１に対応する選択ボタン３２１−１が選択されている状態である。この状態のもとで、ＳＨＶアイコン３２２−１においては、図８のチャンネル選択ボックス３２３に代えて、チャンネル入力ボックス３２３Ａが配置される。
この場合、ユーザは、チャンネル入力ボックス３２３Ａに対して、例えば選択対象の映像出力源が受信可能なチャンネルのうちから、任意のチャンネル番号を入力することができる。このような変形例の場合、ユーザは、ＳＨＶ放送中のチャンネルと、ＳＨＶ放送中でないチャンネルとにかかわらず、予め所望のチャンネルを選択したうえで映像信号の切り替えを行うことができる。
【００８４】
なお、映像出力源がＳＨＶ放送対応であることを示す態様としては、図２などに示したＳＨＶ放送対応指示枠ＦＬに限定されるものではなく、例えばＳＨＶ放送対応であることを示すアイコン、バッジなどを選択ボタン３２１に配置するようにしてもよい。また、ＳＨＶ放送中のチャンネルの数に関する表示に関しても、図２などに示したのと異なる態様が採られてよい。
なお、テレビジョン受像機１００は、チューナ部１０２を備えず、入力映像信号を表示する機能を備えるディスプレイモニタなどであってもよい。
なお、これまでの説明においては、映像入力部１３３により選択された映像信号は、表示部１０５における映像の表示に利用されていたが、例えば映像入力部１３３により選択された映像信号が録画に利用されるようにしてもよい。
【００８５】
なお、上述のテレビジョン受像機１００としての機能を実現するためのプログラムをコンピュータ読み取り可能な記録媒体に記録して、この記録媒体に記録されたプログラムをコンピュータシステムに読み込ませ、実行することにより上述のテレビジョン受像機１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００８６】
１００  テレビジョン受像機、１０１  インターフェース部、１０２  チューナ部、１０３  制御部、１０４  記憶部、１０５  表示部、１０６  操作受付部、１３１  放送関連情報取得部、１３２  表示制御部、１３３  映像入力部、１４１  放送関連情報記憶部、２００（２００−１，２００−２，２００−３，２００−４）  セットトップボックス、３００  入力選択画面
【図１】
2017069681.tif 000003
【図２】
2017069681.tif 000004
【図３】
2017069681.tif 000005
【図４】
2017069681.tif 000006
【図５】
2017069681.tif 000007
【図６】
2017069681.tif 000008
【図７】
2017069681.tif 000009
【図８】
2017069681.tif 000010
【図９】
2017069681.tif 000011
【図１０】
2017069681.tif 000012